(57)【要約】【課題】増設工事にも容易に対応でき、少ないスペースで多くのフィーダ回路を構成できる金属閉鎖形スイッチギヤを得る。【解決手段】受電側遮断器２３及び計器用変成器１３を含み電力を受電する受電盤５と、フィーダ側遮断器１０，１１，１８と変流器１３と零相変流器１７を含み負荷供給用の外線を引き出すフィーダ盤６と、母線連絡遮断器３８を含み主母線３を系統毎に切り分ける母線連絡盤７とを備え、受電盤５，フィーダ盤６，母線連絡盤７のそれぞれは、単体でも配電設備機能を有する盤本体ユニット１に、フィーダ回路を構成するフィーダユニット２の設置が可能であり、各ユニットは個別の筐体に収容されて上下方向に並べて設置され、着脱可能に構成されている。【選択図】図１
2015171235.tif 000002
【特許請求の範囲】
【請求項１】
２つの遮断器が上下に配置されて収納された盤本体ユニットと、１つの遮断器が収納された盤追加ユニットとを備え、
前記盤本体ユニットと前記盤追加ユニットは、それぞれ個別の筐体に収容されて上下方向に並べて設置され、着脱可能に構成されていることを特徴とする金属閉鎖形スイッチギヤ。
【請求項２】
受電側遮断器及び計器用変成器を含み電力を受電する受電盤と、フィーダ側遮断器，変流器，零相変流器を含み負荷供給用の外線を引き出すフィーダ盤と、母線連絡遮断器を含み主母線を系統毎に切り分ける母線連絡盤とを備え、
前記受電盤，前記フィーダ盤，前記母線連絡盤のそれぞれは、単体でも配電設備機能を有する盤本体ユニットに、フィーダ回路を構成するフィーダユニットの設置が可能であり、前記盤本体ユニットと前記フィーダユニットは個別の筐体に収容されて上下方向に並べて設置され、着脱可能に構成されていることを特徴とする金属閉鎖形スイッチギヤ。
【請求項３】
請求項２に記載の金属閉鎖形スイッチギヤにおいて、
配列された盤間の電路を形成するために、前記盤本体ユニットには主母線が設けられ、前記フィーダユニットには専用母線が設けられており、前記主母線と前記専用母線とは、母線接続導体により接続されていることを特徴とする金属閉鎖形スイッチギヤ。
【請求項４】
請求項３に記載の金属閉鎖形スイッチギヤにおいて、
前記受電盤には、更に避雷器と計器用変圧器とを有し、前記避雷器と前記計器用変圧器とは機器台車に載置され、前記機器台車の後部には、主回路を接続・断路するためのジャンクションが縦方向に並べて配設されており、
前記避雷器および前記計器用変圧器は、前記ジャンクションを介して前記受電側遮断器の受電側に接続されていることを特徴とする金属閉鎖形スイッチギヤ。
【請求項５】
請求項２に記載の金属閉鎖形スイッチギヤにおいて、
配列された盤間の電路を形成するために、前記盤本体ユニットには主母線が設けられ、前記フィーダユニットには専用母線が設けられており、前記主母線と前記専用母線とは、前記母線連絡盤において母線接続導体により接続されていることを特徴とする金属閉鎖形スイッチギヤ。
【請求項６】
外部から電力を受電する受電側の外線ケーブルが接続される主母線と、
外部負荷へ電力を供給するフィーダ側の外線ケーブルが接続される専用母線と、
前記主母線が収容された第１の筐体と、
前記専用母線が収容された第２の筐体と、
前記第１の筐体と前記第２の筐体間を通り前記主母線と前記専用母線とを接続する母線接続導体とを備え、
前記第１の筐体と前記第２の筐体とは上下方向に並べて設置され、着脱可能に構成されていることを特徴とする金属閉鎖形スイッチギヤ。
特徴とする金属閉鎖形スイッチギヤ。
【発明の詳細な説明】
【技術分野】
【０００１】
この発明は、遮断器等の電力機器が金属筐体に収容された金属閉鎖形スイッチギヤの構造に関するものである。
【背景技術】
【０００２】
主に高圧遮断器を収納する金属閉鎖形スイッチギヤは、通常、複数の盤で構成される。従来の一般的な金属閉鎖形スイッチギヤの配置構成を図１４に示す。図のように、受電用の遮断器，計器用変成器等の複数機器によって構成される受電盤５と、遮断器，変流器，零相変流器を介して負荷供給用の外線が引き出されるフィーダ盤６と、遮断器を用いて主母線を各系統で切り分ける母線連絡盤７等があり、これらが配列されて配電設備が構成されている。なお、短時間耐電流が２０ｋＡクラスの配電設備であれば、フィーダ盤６の１面に収納される負荷回路は、２〜３回路の場合が多く、図では２回路の場合を示している。ここで、例えば、負荷回路を増やすような増設工事が発生した場合は、図中の破線で示す部分が追加され、基礎工事が新たに発生することになる。
【０００３】
配電設備が設置される場所の設備規模によっては、数多くの供給回路が必要な場合があり、その分、フィーダ盤の面数が必要となる。このため、例えば、盤内の収容部品に対応して複数のコンパートメントに分割可能にし、母線ユニットと複数の配電ユニットを標準化して一つの集合体とし、これらを上下または前後に組み合わせて構成することで小型化を図った配電盤が開示されている（例えば、特許文献１参照）。
また、箱体内に母線，遮断器，ケーブル，計器を収容して盤ユニットを構成し、その盤ユニットを多段積みにし、且つ複数列に配置構成して小型化を図ると共に、ユニットの数を増加することで、負荷増にも対応できるようにした開閉装置が開示されている（例えば、特許文献２参照）。
【先行技術文献】
【特許文献】
【０００４】
【特許文献１】特開平６−２４５３３２号公報（第２−３頁、図１−３）
【特許文献２】特開平１１−３０８７１２号公報（第２頁、図１，４）
【発明の概要】
【発明が解決しようとする課題】
【０００５】
上記の特許文献１の配電盤では、配電盤のコンパクト化は図られているが、フィーダ盤（負荷ユニット）を増設する場合には、その分だけ配列方向に盤数を増やす必要があり、設置面積が増えてしまう。通常は設置面積に限りがあるため、場合によっては必要面数のフィーダ盤を設置できないという問題があった。
また、特許文献２の開閉装置では、標準化された盤ユニットを多列多段に配置することでコンパクト化を図っているが、受電盤や母線連絡盤の記載がなく、受電盤や母線連絡盤を含めた全体の設置面積の縮小には対応が不十分であるという問題があった。
【０００６】
この発明は、上記のような問題を解決するためになされたもので、増設工事にも容易に対応でき、且つ極力少ないスペースで多くのフィーダ回路を構成できる金属閉鎖形スイッチギヤを提供することを目的とする。
【課題を解決するための手段】
【０００７】
この発明に係る金属閉鎖形スイッチギヤは、２つの遮断器が上下に配置されて収納された盤本体ユニットと、１つの遮断器が収納された盤追加ユニットとを備え、盤本体ユニットと盤追加ユニットは、それぞれ個別の筐体に収容されて上下方向に並べて設置され、着脱可能に構成されたものである。
【０００８】
また、受電側遮断器及び計器用変成器を含み電力を受電する受電盤と、フィーダ側遮断器，変流器，零相変流器を含み負荷供給用の外線を引き出すフィーダ盤と、母線連絡遮断器を含み主母線を系統毎に切り分ける母線連絡盤とを備え、受電盤，フィーダ盤，母線連絡盤のそれぞれは、単体でも配電設備機能を有する盤本体ユニットに、フィーダ回路を構成するフィーダユニットの設置が可能であり、盤本体ユニットとフィーダユニットは個別の筐体に収容されて上下方向に並べて設置され、着脱可能に構成されたものである。
【０００９】
また、外部から電力を受電する受電側の外線ケーブルが接続される主母線と、外部負荷へ電力を供給するフィーダ側の外線ケーブルが接続される専用母線と、主母線が収容された第１の筐体と、専用母線が収容された第２の筐体と、第１の筐体と第２の筐体間を通り主母線と専用母線とを接続する母線接続導体とを備え、第１の筐体と第２の筐体とは上下方向に並べて設置され、着脱可能に構成されたものである。
【発明の効果】
【００１０】
この発明の金属閉鎖形スイッチギヤによれば、盤本体ユニットと盤追加ユニットとが、それぞれ個別の筐体に収容されて上下方向に並べて設置され、着脱可能に構成されているので、盤追加ユニットを追加することで、負荷供給回路の増設に容易に対応することができる。
また、受電盤，フィーダ盤，母線連絡盤のそれぞれが、単体でも配電設備機能を有する盤本体ユニットに、フィーダ回路を構成するフィーダユニットの設置が可能であり、各ユニットは個別の筐体に収容されて上下方向に並べて設置され、着脱可能に構成されているので、金属閉鎖形スイッチギヤの面数を増やすことなく、盤本体ユニットに負荷供給回路であるフィーダユニットを容易に増設することができる。このため、配電設備の占有スペースの縮小化を図ることが可能になる。また、盤本体ユニットだけでもスイッチギヤの機能を満たすため、将来増設や急な仕様変更により外部への供給回路が1つ以上増える場合を予測して、盤本体ユニットのみで計画することも可能であり、増設時には基礎工事を追加することなく対応できる。
【００１１】
更に、主母線が収容された第１の筐体と、専用母線が収容された第２の筐体と、第１の筐体と第２の筐体間を通り主母線と専用母線とを接続する母線接続導体とを備え、第１の筐体と第２の筐体とは上下方向に並べて設置され、着脱可能に構成されているので、盤幅を増やすことなく主母線と専用母線を接続でき、また、主母線側と専用母線側のそれぞれに負荷供給回路を増設する場合に容易に対応できる。
【図面の簡単な説明】
【００１２】
【図１】この発明の実施の形態１による金属閉鎖形スイッチギヤの配列モデルを示す単線結線図である。
【図２】図１中のフィーダ盤の側面断面図である。
【図３】図１中の受電盤の側面断面図である。
【図４】図３の矢視Ａ−Ａにおける部分平面図である。
【図５】図３中の機器台車の詳細を示す斜視図である。
【図６】図１中の受電盤の他の構成例を示す側面図である。
【図７】この発明の実施の形態１による金属閉鎖形スイッチギヤの配列モデルの他の例を示す単線結線図である。
【図８】図７中のフィーダ盤の側面断面図である。
【図９】実施の形態２による金属閉鎖形スイッチギヤの配列モデルを示す単線結線図である。
【図１０】図９中の母線連絡盤を示す側面断面図である。
【図１１】図１０の矢視Ｂ−Ｂにおける主母線付近の上面図である。
【図１２】図１０の矢視Ｃ−Ｃにおける専用母線付近の正面図である。
【図１３】実施の形態２による金属閉鎖形スイッチギヤの配列モデルの他の例を示す単線結線図である。
【図１４】従来の金属閉鎖形スイッチギヤの配列モデルを示す単線結線図である。
【発明を実施するための形態】
【００１３】
実施の形態１．
図１は、実施の形態１による金属閉鎖形スイッチギヤを用いた配列モデルの一例を示す単線結線図である。また、図２は、図１の中のフィーダ盤６の側面断面図であり、図３は、図１の中の受電盤５の側面断面図である。なお、背景技術で説明した図１４と同等部分は、対応が分かりやすいように同一符号で示している。
金属閉鎖形スイッチギヤは、一般的に、遮断器と保護継電器類とが金属製の筐体に収容されて構成され、要求される機能により収容機器の構成が異なる。
遮断器，計器用変成器等の複数機器によって構成されて主に電力を受電するための受電盤５と、遮断器，変流器，零相変流器等を介して負荷供給用の外線ケーブルが引き出されるフィーダ盤６と、主母線を系統毎に遮断器によって切り分ける母線連絡盤７等からなり、これら複数の盤が列盤配置されて構成されている。
【００１４】
まず図１により、金属閉鎖形スイッチギヤを列盤配置した場合の全体構成の一例について説明する。
本願の金属閉鎖形スイッチギヤは、盤の上下方向の配置から見た場合、下部側の盤本体ユニット１と上部側のフィーダユニット２により構成されている点が第１の特徴部である。下部の盤本体ユニット１には、盤本体ユニット間の電路を形成するための主母線３が収納されており、上部のフィーダユニット２には、上部フィーダユニット間の電路を形成する専用母線４が収納されている。図１の場合は、主母線３と専用母線４は受電盤５において接続される。
【００１５】
また、盤の機能から見た場合、それぞれが受け持つ機能にしたがって、盤本体ユニット１とフィーダユニット２が組み合わされて１つの盤が構成されている。すなわち、前述の受電盤５、フィーダ盤６、母線連絡盤７のそれぞれは、盤本体ユニット１とフィーダユニット２とからなり、各ユニットはそれぞれ個別の筐体に収容されている。以下の説明では、盤本体ユニット１を収容する筐体を第１の筐体８、フィーダユニット２を収容する筐体を第２の筐体９とし、煩雑さをさけるため、各盤で同じ符号を付して説明する。同様に、主母線３と専用母線４も、各盤で同じ符号とする。
【００１６】
受電盤５の盤本体ユニット１には、主母線３の他に、外線ケーブルに接続される受電側遮断器２３，計器用変成器１３，計器用変圧器２６，避雷器２７等が収納されており、上部側のフィーダユニット２には、専用母線４の他に、フィーダ側遮断器１８と計器用変成器１３等が収容されている。内部の各機器の配置の詳細は後述する。
フィーダ盤６の盤本体ユニット１には、主母線３の他に、外線ケーブルに接続される上段側遮断器１０及び下段側遮断器１１，各遮断器の回路に設けられた計器用変成器１３，零相変流器１７等を備えた複数のフィーダ回線（図の場合は２回線）が収納され、上部側のフィーダユニット２には、専用母線４の他に、フィーダ側遮断器１８及び計器用変成器１３等が収納されている。
母線連絡盤７の構成については、実施の形態２で詳細を説明する。
なお、図１では，母線連絡盤７を挟んで左右に２系統が配置されたものを示しているが、配電設備の規模によっては、母線連絡盤７がなく１系統のみの場合もあり、また、フィーダ盤６は、必要とするフィーダの数によって増減する。
【００１７】
まず、フィーダ盤６の内部構成から説明する。図２は図１のフィーダ盤６の側面断面図である。図の左側が前面側であり、遮断器位置より前方が制御室、後方が主回路室となっている。
下部側の盤本体ユニット１は、第１の筐体８に収容されており、その内部の主回路室に、列盤配置されたときに盤本体ユニット間の電路を構成する３相の主母線３が、上下方向に並べ、かつ水平方向に向けて設置されている。また、電路を開閉するための上段側遮断器１０と下段側遮断器１１とが主回路室前方の上下に配置されている。上段側遮断器１０の下側端子１０ｂと下段側遮断器１１の上側端子１１ａとは、相毎に分岐導体１２で接続され、その分岐導体１２は、相毎に３相の主母線３に接続されている。
【００１８】
上段側遮断器１０の上側端子１０ａと、下段側遮断器１１の下側端子１１ｂのそれぞれには、電流を測定するための計器用変成器１３を備えた外線接続導体１４が接続され、その先端側は、外部負荷に電力を供給する外線ケーブル１５に接続されている。
これらの外線ケーブル１５と、後述する上部側のフィーダユニット２内の接続導体に接続される外線ケーブル１５のそれぞれが、図で紙面の垂直方向に並べて配置され、ブラケットによって第１の筐体８に固定されている。また、外線ケーブル１５には、ブラケットのすぐ下に零相変流器１７が設けられている。
【００１９】
上部側のフィーダユニット２は、第２の筐体９に収容されており、その内部の主回室には、列盤配置されるフィーダユニット間の電路を構成する３相の専用母線４が、前後方向に並べ、かつ水平方向に向けて設置されている。また、その前方にはフィーダ側遮断器１８が設置されている。フィーダ側遮断器１８の下側端子１８ｂは、分岐導体１９により専用母線４の各相に接続されている。また、上側端子１８ａは、計器用変成器１３を備えた外線接続導体２０に接続されて、その先端側は、フィーダ側の外線ケーブル１５に接続されている。
【００２０】
なお、フィーダユニット２には１回路分の構成しか有していない。各盤とも、フィーダユニット２の第２の筐体９と盤本体ユニット１の第１の筐体８とは容易に着脱可能な構造としている。また、フィーダユニット２は共通化されており、フィーダ盤６以外の上部にも設置可能となっている。金属閉鎖形スイッチギヤの全体の設備規模にしたがって、フィーダユニット２は、増減可能となっており、このことから、フィーダユニット２は、適宜追加可能なため「盤追加ユニット」と呼ぶこともできる。
また、盤本体ユニット１内の上段側遮断器１０及び下段側遮断器１１は、機能から見ればフィーダ側遮断器である。
【００２１】
上記の各遮断器１０，１１，１８は、遮断器固定枠２１の背面に設けられた断路部２２において、各遮断器の上側端子及び下側端子と断路部２２の後方に配設された分岐導体１２，１９及び外線接続導体１４，２０とが接離可能になっている。各遮断器には車輪が付属して前後に移動可能となっており、前方に引き出すことで、断路部２２で切り離し可能となっている。この構成は他の盤の遮断器でも同じである。
【００２２】
次に受電盤５の内部構成について説明する。
図３は、フィーダユニット２を上部に搭載した受電盤５の側面断面図である。
上部側のフィーダユニット２は、先に説明したフィーダ盤６のフィーダユニット２とほぼ同じなので説明は省略する。下部側の盤本体ユニット１には、前方下部に受電側遮断器２３が配置され、その上方に設けられた機器固定枠２４に機器台車２５が配置され、機器台車２５には後述の計器用変圧器２６と避雷器２７が搭載されている。
受電側遮断器２３の下側端子２３ｂは、外線接続導体２８を介して受電用の外線ケーブル１６と接続されており、外線接続導体２８の途中には複数の計器用変成器１３が設けられている。
受電側遮断器２３の上側端子２３ａは、各相が分岐導体２９を介して３相の主母線３に接続されている。この主母線３はフィーダ盤６の主母線３と同じ位置に配置されている。
【００２３】
主母線３と上部側のフィーダユニット２の専用母線４とは、相毎に母線接続導体３０で接続されている。
また、外線接続導体２８は、接続部２８ａにおいて電線３１を介して機器固定枠２４の背面に設けられた断路部の接続端子３２に接続されている。
図４は、図３の盤本体ユニット２の内部の矢視Ａ−Ａにおける部分平面図である。図４に示すように、外線接続導体２８と接続端子３２とは、母線接続導体３０に干渉しないように電線３１で接続されている。
【００２４】
図５は、図３の中の機器台車２５を示す斜視図である。図５に示すように、機器台車２５の台車フレーム３３は、前面側から見てコの字状に形成されており、一方の側面には計器用変圧器２６が配設され、他方の側面には避雷器２７が配設されている。それらの機器の端子部は、碍子３４に固定されたジャンクション３５に、電線３６で接続されている。また、機器台車２５の前面は導電部を保護するための保護板３７が取り付けられている。ジャンクション３５は縦に並べて配置され、機器台車２５を機器固定枠２４に挿入することによって機器固定枠２４の背面の断路部の接続端子３２と接続される。
【００２５】
上記の機器台車２５と、縦方向に配置したジャンクション３５を採用したことにより、図４で説明したように、電線３１と母線接続導体３０の干渉を避けることが容易になり、その結果、容易にフィーダユニット２の専用母線４と盤本体ユニット１の主母線３を母線接続導体３０で接続することが可能となる。
これにより、受電盤５の幅・奥行寸法の増加や主母線２７と専用母線４との接続のための専用の盤を設けること無く、急な仕様変更や将来増設による回路追加にも基礎工事等を追加無しで対応可能となる。
【００２６】
次に、受電盤５の他の構成例について説明する。図６は、図３の変形例である。
先の図３では、１台の機器台車２５に計器用変圧器２６と避雷器２７を搭載していたが、図６では、それぞれ個別の台車に搭載するものである。例えば、計器用変圧器２６を上段の機器台車２５ａに搭載し、避雷器２７を下段の機器台車２５ｂに搭載する。この場合も、ジャンクション３５は縦方向に並べて設け、機器固定枠２４の断路部に設ける接続端子３２も縦方向に並べて配置している。そうすることで、図３の場合と同様に、母線接続導体３０による専用母線４と主母線３との接続が容易になる。
【００２７】
これまでの説明では、盤本体ユニット１の上部にフィーダユニット２が設置されたもので説明したが、例えば、外線ケーブルが盤の上方から引き込まれるような場合では、盤本体ユニット１を上方に、フィーダユニット２を下方に配置してもよい。この場合も、各ユニットは個別の筐体に収容し着脱可能に構成する。
また、最初から図１のように盤本体ユニット１とフィーダユニット２をすべて設置しておく必要はなく、たとえば、最初は各盤とも盤本体ユニット１のみで構成し、必要に応じてフィーダユニット２を増設していけばよい。この場合、受電盤５では母線接続導体３０を追加する。また、盤本体ユニット１には、フィーダユニット２に接続される外線ケールの設置スペースを空けておく。
【００２８】
また、これまでの説明では、主母線３と専用母線４は受電盤５において接続していたが、フィーダ盤６において接続してもよい。
図７は、主母線３と専用母線４をフィーダ盤６において接続した場合の金属閉鎖形スイッチギヤの配列モデルを示す単線結線図であり、図８は、そのフィーダ盤６の側面断面図である。図７の単線結線図は、主母線３と専用母線４の接続がフィーダ盤６内に替わった以外は、図１と同等なので詳細な説明は省略する。
図８に示すように、このフィーダ盤６では、盤本体ユニット１の主母線３とフィーダユニット２の専用母線４とを、図３と同様に、母線接続導体３０で接続している。盤本体ユニット１の上段側遮断器１０の上側端子１０ａと外線ケーブル１５とは、母線接続導体３０との干渉を避けるため、図のように、外線接続導体１４に電線１４ａを用いて接続している。電線１４ａは盤正面側から見て盤左側付近を通過させて外線接続導体１４を避けているので干渉することは無い。
【００２９】
以上のように、実施の形態１の金属閉鎖形スイッチギヤによれば、２つの遮断器が上下に配置されて収納された盤本体ユニットと、１つの遮断器が収納された盤追加ユニットとを備え、盤本体ユニットと盤追加ユニットとが、それぞれ個別の筐体に収容されて上下方向に並べて設置され、着脱可能に構成されているので、盤追加ユニットを追加することで、負荷供給回路の増設に容易に対応することができる。
【００３０】
また、受電側遮断器及び計器用変成器を含み電力を受電する受電盤と、フィーダ側遮断器，変流器，零相変流器を含み負荷供給用の外線を引き出すフィーダ盤と、母線連絡遮断器を含み主母線を系統毎に切り分ける母線連絡盤とを備え、受電盤，フィーダ盤，母線連絡盤のそれぞれは、単体でも配電設備機能を有する盤本体ユニットに、フィーダ回路を構成するフィーダユニットの設置が可能であり、盤本体ユニットとフィーダユニットは個別の筐体に収容されて上下方向に並べて設置され、着脱可能に構成されているので、金属閉鎖形スイッチギヤの面数を増やすことなく、盤本体ユニットに負荷供給回路であるフィーダユニットを容易に増設することができる。このため、配電設備の占有スペースの縮小化を図ることが可能になる。また、盤本体ユニットだけでもスイッチギヤの機能を満たすため、将来増設や急な仕様変更により外部への供給回路が1つ以上増える場合を予測して、盤本体ユニットのみで計画することも可能であり、増設時には基礎工事を追加することなく対応できる。
【００３１】
また、配列された盤間の電路を形成するために、盤本体ユニットには主母線が設けられ、フィーダユニットには専用母線が設けられており、主母線と専用母線とは、受電盤において母線接続導体により接続されているので、特に母線接続のための盤を増やすことなく盤本体ユニットとフィーダユニットの主回路を接続することができる。
【００３２】
また、受電盤には、更に避雷器と計器用変圧器とを有し、避雷器と計器用変圧器とは機器台車に載置され、機器台車の後部には、主回路を接続・断路するためのジャンクションが縦方向に並べて配設されており、避雷器および計器用変圧器は、ジャンクションを介して受電側遮断器の受電側に接続されているので、避雷器及び計器用変圧器と主母線との接続において、母線接続導体との干渉を容易に回避でき、接続が簡単になる。
【００３３】
更に、外部から電力を受電する受電側の外線ケーブルが接続される主母線と、外部へ電力を供給するフィーダ側の外線ケーブルが接続される専用母線と、主母線が収容された第１の筐体と、専用母線が収容された第２の筐体と、第１の筐体と第２の筐体間を通り主母線と専用母線とを接続する母線接続導体とを備え、第１の筐体と第２の筐体とは上下方向に並べて設置され、着脱可能に構成されているので、特に盤幅を増やすことなく主母線と専用母線を接続でき、また、主母線側と専用母線側のそれぞれに負荷供給回路を増設する場合に容易に対応できる。
【００３４】
また、盤本体ユニットと、盤追加ユニットとが着脱可能に構成されているので、盤本体ユニット単体では、例えば、従来の３回線分のフィーダを１つの盤に収納した金属閉鎖形スイッチギヤより高さが低くなる。よって、スイッチギヤの現地搬入時に、エレベータを使用した盤本体ユニット単体の電気室への搬入を容易に行うことができる。その上で、電気室にて盤本体ユニットに盤追加ユニットを設置することで、３回線分のフィーダを備えた金属閉鎖形スイッチギヤを構成できる。
【００３５】
実施の形態２
図９は、実施の形態２による金属閉鎖形スイッチギヤを用いて列盤配置した配列モデルの一例を示す単線結線図である。また、図１０は、図９の母線連絡盤７の側面断面図であり、図１１は、図１０の盤本体ユニット１の矢視Ｂ−Ｂにおける主母線付近の平面図であり、図１２は、図１０のフィーダユニット２の矢視Ｃ−Ｃにおける専用母線付近の正面図である。実施の形態１の図６と同等部分は同一符号を付して、詳細説明は省略する。
実施の形態１と同様に、第１の筐体８に収容された盤本体ユニット１と、第２の筐体９に収容されたフィーダユニット２とで構成されている。盤本体ユニット１の主母線３とフィーダユニット２の専用母線４は、右側系統、左側系統ともそれぞれ１面の母線連絡盤７にて接続される。フィーダ盤６と受電盤５は実施の形態１と同等なので、説明は省略し、以下では母線連絡盤７を中心に説明する。
【００３６】
図１０に示すように、母線連絡盤７の盤本体ユニット１には、前方に下部側から母線連絡遮断器３８、下段側の機器台車３９ｂ、上段側の機器台車３９ａが配置されている。各機器台車３９ａ，３９ｂには、計器用変圧器２６（図示せず）がそれぞれ１台ずつ搭載されている。また各機器台車３９ａ，３９ｂを載置する機器固定枠の後面の断路部には実施の形態１と同様に接続端子３２を有している。
主母線３は、フィーダ盤６の主母線３と同じ位置に配置されている。この主母線３は、母線連絡遮断器３８の上側端子３８ａに分岐導体４０を介して接続されると共に、母線接続導体４１を介して上部の専用母線４に接続されている。
図１１の平面図に示すように、主母線３は、分岐導体４０の接続部から右側に隣接する盤本体ユニット１の主母線３までの電路のみを構成しており、盤左端へは延びていない。また、フィーダユニット２の専用母線４も接続部から右側にのみ延びている。
【００３７】
母線連絡遮断器３８の下側端子３８ｂは、接続導体４２に接続され、この接続導体４２は、図１１に示すように、左側の盤本体ユニットの主母線３と接続される主母線接続導体４３に接続されると共に、背面側の母線接続導体４４を介して上部の専用母線接続導体４５に接続されている。専用母線接続導体４５は、左側に隣接するフィーダユニットの専用母線４と接続される。
図１２に示すように、右側の系統においては、主母線３に接続された母線接続導体４１で立ち上げられ、専用母線４経て右側に隣接する上部フィーダユニットの専用母線４に接続される。また、左側の系統においては、主母線接続導体４３に接続された母線接続導体４４で立ち上げられて、専用母線接続導体４５を経て左側に隣接する上部フィーダユニットの専用母線４に接続される。
【００３８】
また、図１０に示すように、下段側の機器台車３９ｂの背面の接続端子３２は電線４６を介して主母線３へと接続されている。上段側の機器台車３９ａの背面の接続端子３２は電線４７を介して主母線接続導体４３に接続されている。ここで、すくなくとも上段側の接続端子３２は、実施の形態１と同様に３相分を縦に並べて配置されたものを採用している。これにより、電線４７は容易に母線接続導体４１をかわして接続することが可能となる。下段側は母線接続導体４１との干渉はないので、図では横に並べている。
【００３９】
なお、本実施の形態では、主母線３側と専用母線４側とを、母線連絡盤７において、母線接続導体４１，４７により接続しているが、実施の形態１のように、受電盤５の内部で主母線３と専用母線４を母線接続導体３０で接続している場合は、母線連絡盤７での両母線の接続は不要である。
図１３に、そのような場合の金属閉鎖形スイッチギヤの配列モデル一例を示す。図１３のように、母線連絡盤７で主母線３と専用母線４を接続しない場合は、盤本体ユニット１のみで構成してもよい。また、盤本体ユニット１の上部に、実施の形態１のフィーダ盤６の上部側のフィーダユニット２と同様のものを組み合わせることも可能である。
当然ながら、受電盤５，フィーダ盤６も盤本体ユニット１のみで構成することが可能である。
以上の構造により、２系統の母線接続を１面の母線連絡盤で対応できる。その結果、現地で、各系統のフィーダ回路増設の改造案件が発生したときでも、改造する面数を最小限に抑えることが可能である。
【００４０】
以上のように、実施の形態２の金属閉鎖形スイッチギヤによれば、配列された盤間の電路を形成するために、盤本体ユニットには主母線が設けられ、フィーダユニットには専用母線が設けられており、主母線と専用母線とは、母線連絡盤において母線接続導体により接続されているので、２系統の母線接続を１面の母線連絡盤で対応でき、母線連絡盤以外では、上下の母線接続の必要がないため、フィーダユニットを共通化でき、各系統のフィーダ回路を増設する場合に、改造する面数を最小限に抑えることができる。
【００４１】
なお、本願発明は、その発明の範囲内において、各実施の形態を自由に組み合わせたり、各実施の形態を適宜、変更、省略したりすることが可能である。
【符号の説明】
【００４２】
１  盤本体ユニット、２  フィーダユニット（盤追加ユニット）、３  主母線、
４  専用母線、５  受電盤、６  フィーダ盤、７  母線連絡盤、８  第１の筐体、
９  第２の筐体、１０  上段側遮断器、１０ａ  上側端子、１０ｂ  下側端子、
１１  下段側遮断器、１１ａ  上側端子、１１ｂ  下側端子、１２  分岐導体、
１３  計器用変成器、１４  外線接続導体、１４ａ  電線、１５，１６  外線ケーブル、１７  零相変流器、１８  フィーダ側遮断器、１８ａ  上側端子、１８ｂ  下側端子、
１９  分岐導体、２０  外線接続導体、２１  遮断器固定枠、２２  断路部、
２３  受電側遮断器、２３ａ  上側端子、２３ｂ  下側端子、２４  機器固定枠、
２５，２５ａ，２５ｂ  機器台車、２６  計器用変圧器、２７  避雷器、
２８  外線接続導体、２８ａ  接続部、２９  分岐導体、３０  母線接続導体、
３１  電線、３２  接続端子、３３  台車フレーム、３４  碍子、
３５  ジャンクション、３６  電線、３７  保護板、３８  母線連絡遮断器、
３８ａ  上側端子、３８ｂ  下側端子、３９ａ，３９ｂ  機器台車、４０  分岐導体、
４１  母線接続導体、４２  接続導体、４３  主母線接続導体、４４  母線接続導体、
４５  専用母線接続導体、４６，４７  電線。
【図１】
2015171235.tif 000003
【図２】
2015171235.tif 000004
【図３】
2015171235.tif 000005
【図４】
2015171235.tif 000006
【図５】
2015171235.tif 000007
【図６】
2015171235.tif 000008
【図７】
2015171235.tif 000009
【図８】
2015171235.tif 000010
【図９】
2015171235.tif 000011
【図１０】
2015171235.tif 000012
【図１１】
2015171235.tif 000013
【図１２】
2015171235.tif 000014
【図１３】
2015171235.tif 000015
【図１４】
2015171235.tif 000016